(57)【要約】【課題】種々のものを収容する紙箱であって、当該紙箱の隣接した２つの各側板によって形成される四方の各角部を、水平視紡錘形状に設け、四方の側板を外方に湾曲させ、強度を高くした折り畳み紙箱を提供する。【解決手段】一方の相対向する各側板が開閉自在な直方体形状の折り畳み紙箱において、隣接した２つの各側板２、３、７によって形成される四方の各角部を、水平視紡錘形状に設け、当該紙箱Ａを組み立てた際、四方の各側板２、３、７を外方に夫々湾曲させた。【選択図】図１
0003147365.tif 000002
【実用新案登録請求の範囲】
【請求項１】
一方の相対向する各側板が開閉自在な直方体形状の折り畳み紙箱において、
隣接した２つの各側板によって形成される四方の各角部を、水平視紡錘形状に設け、
当該紙箱を組み立てた際、四方の各側板を外方に夫々湾曲させたことを特徴とする、折り畳み紙箱。
【請求項２】
一方の相対向する各側面の板体が開閉自在な直方体形状の折り畳み紙箱において、
底板の右端縁に折り目を介して第一側板を設け、当該第一側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、当該第一側板の右端縁に天板を設け、当該天板の右端縁に折り目を介して第二側板を設け、当該第二側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、前記第二側板の右端縁に折り目を介して貼着片を設け、前記底板又は天板の上端縁又は下端縁に折り目を介して両側縁が凹湾曲した折り込み板を夫々設け、
前記各折り目により第一側板、第二側板、天板及び貼着片を夫々折り込み、当該貼着片を前記底板の他方の端縁に貼着して底板、第一側板、第二側板及び天板を筒型に設け、当該筒型の第一側板と第二側板の各折り込み板を折り目により、各角部に凹んだ紡錘形状の隅板片を形成して内側に折り込み、その上から前記底板又は天板の各折り込み板を折り目により内側に夫々折り込んで筒型の開口部を塞いで第一側板、第二側板及び各折り込み板を外方に湾曲させた紙箱を形成し、
また、当該各折り込み板及び各隅板片を折り目により開放して筒型に設け、当該筒型の内側の対角線方向の相対向する一方の折り目により、当該筒型を扁平に折り畳んで、当該紙箱を組み立て折り畳み自在に設けたことを特徴とする、折り畳み紙箱。
【請求項３】
一方の相対向する各側面の板体が開閉自在な直方体形状の折り畳み紙箱において、
前記底板の上端縁及び下端縁に折り目を介して両側縁が凹湾曲した折り込み板を夫々設け、当該底板の右端縁に折り目を介して第一側板を設け、当該第一側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、当該第一側板の右端縁に天板を設け、当該天板の上端縁及び下端縁に折り目を介して両側縁が凹湾曲した折り込み板を夫々設け、当該天板の右端縁に折り目を介して第二側板を設け、当該第二側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、前記第二側板の右端縁に折り目を介して貼着片を設け、
前記各折り目により第一側板、第二側板、天板及び貼着片を夫々折り込み、当該貼着片を前記底板の他方の端縁に貼着して底板、第一側板、第二側板及び天板を筒型に設け、当該筒型の第一側板と第二側板の各折り込み板を折り目により、各角部に凹んだ紡錘形状の隅板片を形成して内側に折り込み、その上から前記底板の各折り込み板及び天板の各折り込み板を内側に夫々折り込み、当該天板の折り込み板に予め設けた係止部を底板の折り込み板に予め設けた被係止部に係止して第一側板、第二側板及び各折り込み板を外方に湾曲させた紙箱を形成し、
また、当該各折り込み板及び各隅板片を折り目により開放して筒型に設け、当該筒型の内側の対角線方向の相対向する一方の折り目により、当該筒型を扁平に折り畳んで、当該紙箱を組み立て折り畳み自在に設けたことを特徴とする、折り畳み紙箱。
【請求項４】
前記水平視紡錘形状又は紡錘形状の隅板片の湾曲した相対向する両側縁の中央部を一定長直線状に設けたことを特徴とする、前記請求項１、２又は３の何れかに記載の折り畳み紙箱。
【請求項５】
他方の相対向する各側板又は前記第一側板及び第二側板の内側面に、上端縁と下端縁を貼着したフィルム又は紙片によって水平方向から出し入れ自在なポケットを設けたことを特徴とする、前記請求項１、２、３又は４の何れかに記載の折り畳み紙箱。
【考案の詳細な説明】
【技術分野】
【０００１】
この考案は、洋菓子店等において、菓子やその他の食品等の持ち運びに使用される紙箱に関するものであって、例えば、デコレーションケーキやその他のものを持ち運ぶ折り畳み紙箱に関するものである。
【背景技術】
【０００２】
従来、洋菓子店において、ケーキなどの生菓子を販売する際、持ち運びに便利な紙箱を使用している。この様な紙箱の中に、デコレーションケーキを入れる、いわゆるデコケース（以下、単に『デコケース』と言う）と言うものがある。この様なデコケースの中に、上面に把手の付いたキャリータイプのものがある。
【０００３】
この様な紙箱は、やや、扁平な直方体であり、天板の中央に略環状の切り込みを二重に入れて、これらの切り込みを起こして立設して把手部を形成している。また、この紙箱は一方の相対向する側板が開閉自在で、この側板の一つからケーキを出し入れするようになっている。
【特許文献１】実用新案登録第３１１４１１１号
【考案の開示】
【考案が解決しようとする課題】
【０００４】
しかしながら、この様な紙箱においては、当該紙箱内にデコレーションケーキを入れて持ち運ぶ際、不注意等により、外方、特に上方から圧力がかかり、当該紙箱の天板が凹むと、当該紙箱内のケーキが損傷する恐れがあり、この様な圧力に対して耐えられる、強い紙箱が、常に求められている。
【０００５】
この考案は、この様な状況に鑑みて行われたもので、前記の様なデコレーションケーキに限らず、種々のものを収容する紙箱であって、当該紙箱の隣接した２つの各側板によって形成される四方の各角部を、水平視紡錘形状に設け、四方の側板を外方に湾曲させ、強度を高くした折り畳み紙箱を提供して前記課題を解決するものである。
【課題を解決するための手段】
【０００６】
請求項１の考案は、一方の相対向する各側板が開閉自在な直方体形状の折り畳み紙箱において、隣接した２つの各側板によって形成される四方の各角部を、水平視紡錘形状に設け、当該紙箱を組み立てた際、四方の各側板を外方に夫々湾曲させた折り畳み紙箱とした。
【０００７】
請求項２の考案は、一方の相対向する各側面の板体が開閉自在な直方体形状の折り畳み紙箱において、底板の右端縁に折り目を介して第一側板を設け、当該第一側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、当該第一側板の右端縁に天板を設け、当該天板の右端縁に折り目を介して第二側板を設け、当該第二側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、前記第二側板の右端縁に折り目を介して貼着片を設け、前記底板又は天板の上端縁又は下端縁に折り目を介して両側縁が凹湾曲した折り込み板を夫々設ける。
【０００８】
前記各折り目により第一側板、第二側板、天板及び貼着片を夫々折り込み、当該貼着片を前記底板の他方の端縁に貼着して底板、第一側板、第二側板及び天板を筒型に設け、当該筒型の第一側板と第二側板の各折り込み板を折り目により、各角部に凹んだ紡錘形状の隅板片を形成して内側に折り込み、その上から前記底板又は天板の各折り込み板を折り目により内側に夫々折り込んで筒型の開口部を塞いで第一側板、第二側板及び各折り込み板を外方に湾曲させた紙箱を形成し、また、当該各折り込み板及び各隅板片を折り目により開放して筒型に設け、当該筒型の内側の対角線方向の相対向する一方の折り目により、当該筒型を扁平に折り畳んで、当該紙箱を組み立て折り畳み自在に設けた折り畳み紙箱とした。
【０００９】
請求項３の考案は、一方の相対向する各側面の板体が開閉自在な直方体形状の折り畳み紙箱において、前記底板の上端縁及び下端縁に折り目を介して両側縁が凹湾曲した折り込み板を夫々設け、当該底板の右端縁に折り目を介して第一側板を設け、当該第一側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、当該第一側板の右端縁に天板を設け、当該天板の上端縁及び下端縁に折り目を介して両側縁が凹湾曲した折り込み板を夫々設け、当該天板の右端縁に折り目を介して第二側板を設け、当該第二側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、前記第二側板の右端縁に折り目を介して貼着片を設ける。
【００１０】
前記各折り目により第一側板、第二側板、天板及び貼着片を夫々折り込み、当該貼着片を前記底板の他方の端縁に貼着して底板、第一側板、第二側板及び天板を筒型に設け、当該筒型の第一側板と第二側板の各折り込み板を折り目により、各角部に凹んだ紡錘形状の隅板片を形成して内側に折り込み、その上から前記底板の各折り込み板及び天板の各折り込み板を内側に夫々折り込み、当該天板の折り込み板に予め設けた係止部を底板の折り込み板に予め設けた被係止部に係止して第一側板、第二側板及び各折り込み板を外方に湾曲させた紙箱を形成し、また、当該各折り込み板及び各隅板片を折り目により開放して筒型に設け、当該筒型の内側の対角線方向の相対向する一方の折り目により、当該筒型を扁平に折り畳んで、当該紙箱を組み立て折り畳み自在に設けた折り畳み紙箱とした。
【００１１】
請求項４の考案は、前記水平視紡錘形状又は紡錘形状の隅板片の湾曲した相対向する両側縁の中央部を一定長直線状に設けた前記請求項１、２又は３の何れかに記載の折り畳み紙箱とした。また、請求項５の考案は、他方の相対向する各側板又は前記第一側板及び第二側板の内側面に、上端縁と下端縁を貼着したフィルム又は紙片によって水平方向から出し入れ自在なポケットを設けた前記請求項１、２、３又は４の何れかに記載の折り畳み紙箱とした。
【考案の効果】
【００１２】
請求項１、２及び３の各考案によれば、紙箱の隣接した２つの各側板によって形成される四方の各角部を、水平視紡錘形状に設けたので、紙箱の側板が八面となり当該紙箱の外方、特に上方から圧力がかけられても耐えられる、従来の紙箱より強い紙箱が得られる。また、四方の各側板を外方に湾曲させているので、柔らかな印象を受けると共に、角部が曲線で形成されているので、従来の単に直方体形状の紙箱と比べておしゃれな雰囲気を醸し出しており、購買意欲を刺激するものである。
【００１３】
また、請求項２の考案によれば、底板又は天板の上端縁又は下端縁に折り目を介して両側縁が凹湾曲した折り込み板を夫々設け、また、請求項３の考案によれば、前記底板の上端縁及び下端縁に折り目を介して両側縁が凹湾曲した折り込み板を夫々設け、天板の上端縁及び下端縁に折り目を介して両側縁が凹湾曲した折り込み板を夫々設けているので、この折り畳み紙箱を組み立てた際、各折り込み板の両側縁が各角部の凹んだ紡錘形状の隅板片側に突出すること無く、邪魔にならず、スッキリと側面に収まり、見た目も良く、紙箱として扱い易いものとなる。
【００１４】
また、従来の紙箱では、一方の相対向する開閉自在な側板が閉じられた状態であっても、紙製と言う原材料の性質上、開閉自在な側板が他方の相対向する側板から浮き上がり、少し開いた状態となっていることがあったが、請求項２の考案によれば、前記底板又は天板の上端縁又は下端縁に折り目を介して折り込み板を夫々設け、筒型に設けた後、第一側板及び第二側板の各隅板片及び各折り込み板を折り込み、その上から、前記底板又は天板の各折り込み板を折り込んで、外方に湾曲した折り込み板の上で底板又は天板の各折り込み板を閉じたので、各折り込み板が浮き上がったりせず、湾曲したラインに沿って隙間なく閉じられた状態となっている。これにより、当該紙箱の内外で不必要に空気が流通すること無く、紙箱内に冷気等も保持され易い。
【００１５】
また、同様に、請求項３の考案によれば、天板と底板の上端縁及び下端縁に折り目を介して折り込み板を夫々設け、筒型に設けた後、第一側板及び第二側板の各隅板片及び各折り込み板を折り込み、その上から、前記底板の各折り込み板及び天板の折り込み板を折り込んで、外方に湾曲した折り込み板の上で底板の折り込み板の係止部を天板の折り込み板の被係止部に係止したので、各折り込み板が浮き上がったりせず、湾曲したラインに沿って隙間なく閉じられた状態となっている。これにより、当該紙箱の内外で不必要に空気が流通すること無く、紙箱内に冷気等も保持され易い。
【００１６】
また、請求項４の考案によれば、前記水平視紡錘形状又は紡錘形状の隅板片の湾曲した相対向する両側縁の中央部を一定長直線状に設けたので、この折り畳み紙箱を組み立てた際、当該湾曲した各側板が他のものと接触しても凹み難く、湾曲側面を強度アップすることが出来る。
【００１７】
また、請求項５の考案によれば、前記湾曲した第一側板及び第二側板等の内側面に、上端縁と下端縁を貼着したフィルム又は紙片によって水平方向から出し入れ自在なポケットを夫々設けたので、紙箱内側のスペースをあまり占有すること無く、保冷材等を入れることが出来るスペースを相対向する内側面に簡単に設けることが出来る。
【考案を実施するための最良の形態】
【００１８】
一方の相対向する各側面の板体が開閉自在な直方体形状の折り畳み紙箱において、前記底板の上端縁及び下端縁に折り目を介して両側縁が凹湾曲した折り込み板を夫々設け、当該底板の右端縁に折り目を介して第一側板を設け、当該第一側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、当該第一側板の右端縁に天板を設け、当該天板の上端縁及び下端縁に折り目を介して両側縁が凹湾曲した折り込み板を夫々設け、当該天板の右端縁に折り目を介して第二側板を設け、当該第二側板の上端縁及び下端縁に緩やかな凹形状の折り目を介して紡錘形状の隅板片を夫々設け、これらの各隅板片の上端縁又は下端縁に緩やかな凸形状の折り目を介して折り込み板を夫々設け、前記第二側板の右端縁に折り目を介して貼着片を設ける。
【００１９】
前記各折り目により第一側板、第二側板、天板及び貼着片を夫々折り込み、当該貼着片を前記底板の他方の端縁に貼着して底板、第一側板、第二側板及び天板を筒型に設け、当該筒型の第一側板と第二側板の各折り込み板を折り目により、各角部に凹んだ紡錘形状の隅板片を形成して内側に折り込み、その上から前記底板の各折り込み板及び天板の各折り込み板を内側に夫々折り込み、当該天板の折り込み板に予め設けた係止部を底板の折り込み板に予め設けた被係止部に係止して第一側板、第二側板及び各折り込み板を外方に湾曲させた紙箱を形成し、また、当該各折り込み板及び各隅板片を折り目により開放して筒型に設け、当該筒型の内側の対角線方向の相対向する一方の折り目により、当該筒型を扁平に折り畳んで、当該紙箱を組み立て折り畳み自在に設けた。  
【００２０】
これにより、上方から圧力がかけられても耐えられる、従来の紙箱より強い紙箱が得られる。
【実施例１】
【００２１】
以下、この考案の実施例１を図に基づいて説明する。
図１は、この考案の実施例の折り畳み紙箱の斜視図である。図２は、同折り畳み紙箱の展開図である。図３は、同折り畳み紙箱の隅板片のみの拡大図である。図４は、同折り畳み紙箱の一方の側板を開放した状態の斜視図である。図５は、同折り畳み紙箱の天板の裏面から第一側板及び第二側板の内側にフィルムを貼着して水平方向から出し入れ自在なポケットを夫々に設けた状態の一部断面図である。
【００２２】
この実施例の折り畳み紙箱Ａを説明する。
一方の相対向する側面の板体が開閉自在な扁平な直方体形状の折り畳み紙箱Ａにおいて、図２に示すように、正方形状の底板１の上端縁に折り目ａを介して、左右の側縁が内側に湾曲した略長方形状の折り込み板２を設け、下端縁にも同様に折り目ａを介して、左右の側縁が内側に湾曲した略長方形状の折り込み板２を設け、各折り込み板２の略中央には後述する折り込み板７の係止片７ａを差し入れる切り込み２ａを夫々設けている。
【００２３】
前記底板１の右端縁に折り目ｂを介して略長方形状の第一側板３を設け、この第一側板３の上端縁及び下端縁に緩やかな凹形状の折り目ｃ、ｃを介して紡錘形状の隅板片４を夫々設けている。これらの各隅板片４の上端縁又は下端縁に緩やかな凸形状の折り目ｄ、ｄを介して略長方形状の折り込み板５を夫々設けている。
【００２４】
前記第一側板３の右端縁に折り目ｅを介して、前記底板１と同形同大の天板６を設けており、この天板６の略中央には、環状で相対向する二か所を除いて切り込み６ａを間をあけて二重に設けて把手部６ｂを設けている。また、この天板６の上端縁及び下端縁に折り目ｆ、ｆを介して略山形形状の折り込み板７を夫々設けている。これらの折り込み板７の左右の側縁は、夫々折り目ｆ、ｆからの一定部分が内側に湾曲した形状であり、その後の各端縁は、緩やかな傾斜で中央に向かって伸び、これらの各折り込み板７の外端縁の中央部分では折り目ｇ、ｇを介して突部形状の係止片７ａを夫々設けている。
【００２５】
前記天板６の右端縁に折り目ｈを介して前記第一側板３と同形同大の略長方形状の第二側板８を設け、この第二側板８の上端縁及び下端縁に緩やかな凹形状の折り目ｉ、ｉを介して紡錘形状の隅板片９を夫々設けている。これらの各隅板片９の上端縁又は下端縁に緩やかな凸形状の折り目ｊ、ｊを介して略長方形状の折り込み板１０を夫々設けている。また、前記第二側板８の右端縁に折り目ｋを介して細幅の貼着片１１を設けている。
【００２６】
また、図３に示すように、前記第一側板３及び第二側板８の各隅板片４、９の湾曲した相対向する各側縁の中央部分ｘを夫々一定長直線状としている（図３における楕円で囲った部分）。
【００２７】
次に、この折り畳み紙箱Ａを組み立てる。
前記各折り目ｂ、ｅ、ｈ、ｋにより第一側板３、天板６、第二側板８及び貼着片１１を夫々折り込み、この貼着片１１を前記底板１の左端縁の内側に貼着して、底板１、第一側板３、天板６及び第二側板８を筒型に設ける。そして、図４に示すように（図４では、主に第一側板３側を示す）、この筒型角部の各隅板片４、９を折り目ｃ、ｉにより夫々内側に折り込む。これにより、第一側板３及び第二側板８は外方へ凸湾曲する。そして、さらに、第一側板３の折り込み板５、第二側板８の折り込み板１０を折り目ｄ、ｊにより夫々内側に折り込んで筒型の一方の開口面を塞ぐ。これにより、各隅板片４、９は凹湾曲し、折り込み板５、１０は外方へ凸湾曲する。その上から、底板１の一方の折り込み板２を折り目ａにより折り上げ、その上から天板６の折り込み板７を折り目ｆにより折り込んで重ね、折り込み板７の係止片７ａを折り込み板２の切り込み２ａに差し入れて係止する。
【００２８】
この筒型の他方の開口面も同様にして閉じ、前記第一側板３、折り込み板５、第二側板８、折り込み板１０、折り込み板２、及び折り込み板７が外方に夫々湾曲した折り畳み紙箱Ａを形成する。
【００２９】
また、あらかじめ、前記底板１の各折り込み板２の左右の側縁の内側の湾曲の形状、及び天板６の各折り込み板７の左右の側縁の一定部分の湾曲の形状は、前記隅板片４、９の両側縁の湾曲形状と同じ形状としておく。これにより、折り畳み紙箱Ａを組み立てた際、図１に示すように、各折り込み板２、７の各両側縁が隅板片４、９の面に突出すること無く、邪魔にならず、スッキリと折り込み板５、１０上に収まり、見た目も良く、紙箱として扱い易いものとなる。
【００３０】
さらに、各折り込み板７の係止片７ａは、この折り畳み紙箱Ａの開口面のおよそ中央付近で各折り込み板２の切り込み２ａに差し入れられるものとし、前記隅板片４、９によって、各折り込み板５、１０、２、７が外方に湾曲しているので、各折り込み板５、１０上に外側から沿って重なった状態にある各折り込み板２、７は、これらの各折り込み板５、１０と隙間なく当接した状態となっている。
【００３１】
また、前記各折り込み板５、１０、２、７及び各隅板片４、９を折り目ｄ、ｊ、ａ、ｃ、ｆ、ｉにより開放して筒型に設け、当該筒型の内側の対角線方向の相対向する一方の折り目ｅ、ｋにより、当該筒型を扁平に折り畳んで、当該紙箱Ａを組み立て折り畳み自在とする。
【００３２】
また、図５に示すように、前記天板６の把手部６ｂを起こした際、一定幅で略環状の開口部には、あらかじめ、裏面から長尺な透明なフィルムＢを貼り付けておく。このフィルムＢの左右の端縁は、天板６の裏面からそのまま第一側板３及び第二側板８の内側面に沿って垂らし、当該各内側面において、上端縁と下端縁を貼着して水平方向から出し入れ自在なポケットを設けている。このポケットには、保冷材Ｄの他、ろうそくやナプキン等の備品を入れることが出来る。
【００３３】
そして、この折り畳み紙箱Ａを組み立てた後は、把手部６ｂを夫々起こして、持ち運ぶことが出来る。
【００３４】
従来の紙箱では、一方の相対向する開閉自在な側板が、閉じられた状態であっても、紙製と言う材料の性質上、当該側板が開口面から浮き上がり、少し開いた状態となることがある。この様な場合、当該紙箱内に配置された保冷材による冷気が外部に逃げたり、また、外部の熱い空気が内側に侵入することがあり、当該紙箱内に入れられたデコレーションケーキ等に対して好ましくない状態を招いている。
【００３５】
しかしながら、前述の通り、各折り込み板５、１０、２、７は浮き上がったりせず、また、各折り込み板２、７は各折り込み板５、１０の湾曲したラインに沿って隙間なく閉じられた状態となっている。これにより、当該紙箱Ａの内外で不必要に空気が流通すること無く、紙箱Ａ内に冷気等も保持され易い。
この実施例の紙箱は、デコレーションケーキを入れるキャリーデコの他、他の菓子等を入れる紙箱にももちろん使用出来るものである。
【００３６】
前記実施例では、一方の相対向する各側板が開閉自在な直方体形状の折り畳み紙箱として、具体的に記載しているが、この折り畳み紙箱としては、前記実施例のものに限らず、この考案が実施出来るものであれば、他の構成のものでも良い。また、この折り畳み紙箱Ａの開閉自在な相対向する側板を形成する折り込み板５、１０の外側から重ねる板体として折り込み板２、７を使用しているが、折り込み板５、１０の上に重ねる板体としては、これらに限らず、１枚の板体から成るものでも良い。
【００３７】
また、各隅板片４、９の紡錘形状は前記実施例では両側縁の中央部を直線状に設けたが、湾曲したものでも良い。さらに、天板６に把手部６ｂを設けているが把手部６ｂは無くても良い。
【００３８】
また、前記天板６の裏面に透明なフィルムＢを貼り付けてポケットを形成しているが、このフィルムＢに換えて紙片を使用しても良い。さらに、天板６の裏面にはフィルムＢ又は紙片を設けず、第一側板３及び第二側板８の内側のみに設けても良い。
【図面の簡単な説明】
【００３９】
【図１】この考案の実施例の折り畳み紙箱の斜視図である。
【図２】この考案の実施例の折り畳み紙箱の展開図である。
【図３】この考案の実施例の折り畳み紙箱の隅板片のみの拡大図である。
【図４】この考案の実施例の折り畳み紙箱の一方の側板を開放した状態の斜視図である。
【図５】この考案の実施例の折り畳み紙箱の天板の裏面から第一側板及び第二側板の内側にフィルムを貼着して水平方向から出し入れ自在なポケットを夫々に設けた状態の一部断面図である。
【符号の説明】
【００４０】
Ａ    折り畳み紙箱      Ｂ    フィルム            Ｄ    保冷材
１    底板              ２    折り込み板          ２ａ  被係止部
３    第一側板          ４    隅板片              ５    折り込み板
６    天板              ７    折り込み板          ７ａ  係止部
８    第二側板          ９    隅板片            １０    折り込み板
１１    貼着片
【図１】
0003147365.tif 000003
【図２】
0003147365.tif 000004
【図３】
0003147365.tif 000005
【図４】
0003147365.tif 000006
【図５】
0003147365.tif 000007